(57)【要約】      （修正有）【課題】無線ＬＡＮ通信機器において、設定処理と初期化処理を一つのボタンで行えるようにする。【解決手段】プッシュボタンスイッチ８のボタン８ａが押されてから経過した時間が第１の期間Ｔｂ内にあるときにはＬＥＤ７ａが点灯し、この間ボタン８ａを離すと設定処理、例えば無線自動設定の処理が行われる。経過時間が第２の期間Ｔｄ内であるときにはＬＥＤ７ａが点滅し、このときボタン８ａを離すと初期化処理が行われる。ＬＥＤ７ａが消灯している状態でボタン８ａを離すと、操作がキャンセルされる。【選択図】図２
2017175591.tif 000002
【特許請求の範囲】
【請求項１】
無線ＬＡＮ通信部と、
報知部と、
スイッチと、
前記スイッチが接続され、前記無線ＬＡＮ通信部及び前記報知部を制御する制御部を備え、
制御部は下記の動作を実行するよう構成される、
前記スイッチが操作されたことと、その後前記スイッチの操作が解除されたことを検出し、
前記スイッチの操作が検出されてからの経過時間をカウントし、
前記経過時間が第１の期間内にあるときに前記スイッチの操作の解除を検出した場合には設定処理を行い、
前記経過時間が、第１の期間と重複しない第２の期間内にあるときに前記スイッチの操作の解除を検出したときには初期化処理を行い、
前記経過時間が第１の期間及び第２の期間内にあることを区別できるよう、第１の期間と第２の期間とで異なる態様で報知するよう報知部を制御することを特徴とする無線ＬＡＮ通信機器。
【請求項２】
請求項１記載の無線ＬＡＮ通信機器において、
第１の期間と第２の期間との間に第３の期間を有し、第３の期間内で前記スイッチの操作の解除が検出された場合には、前記制御部は前記設定処理も、前記初期化処理のどちらも行わないことを特徴とする無線ＬＡＮ通信機器。
【請求項３】
請求項１又は２いずれか１項に記載の無線ＬＡＮ通信機器において、
第１の期間と第２の期間の内、時間的に後の期間の終了後、前記スイッチの操作の解除を検出した場合には、前記制御部は前記設定処理も、前記初期化処理のどちらも行わないことを特徴とする無線ＬＡＮ通信機器。
【請求項４】
請求項１乃至３いずれか１項に記載の無線ＬＡＮ通信機器において、
前記スイッチの操作が検出された後、第１の期間と第２の期間内に時間的に前の期間が始まるまでの間に第４の期間を有し、第４の期間内で前記スイッチの操作の解除を検出したときには、前記制御部は前記設定処理も、前記初期化処理のどちらも行わないことを特徴とする無線ＬＡＮ通信機器。
【請求項５】
請求項１乃至４いずれか１項に記載の無線ＬＡＮ通信機器において、
前記設定処理は、無線自動設定の処理であることを特徴とする無線ＬＡＮ通信機器。
【発明の詳細な説明】
【技術分野】
【０００１】
この発明は、無線ＬＡＮ（Ｌｏｃａｌ  Ａｒｅａ  Ｎｅｔｗｏｒｋ）を用いて通信を行う通信機器に関し、機器の設定と機器の初期化を一つのスイッチで操作できる無線ＬＡＮ通信機器を提供する。
【背景技術】
【０００２】
無線ＬＡＮ通信機器には、プッシュボタンスイッチが設けられているものがあり、各種設定の際にプッシュボタンスイッチを用いることができる。このような設定の一つとして、無線ＬＡＮの自動設定がある。このような自動設定では、アクセスポイント、ステーションの自動設定のボタンを押すことにより、アクセスポイントとステーションとの間で、無線の自動設定が行われる。
【０００３】
先行技術文献１には、アクセスポイントのボタンと放射線撮像装置のボタンを押すことにより、放射線撮像装置がアクセスポイントに接続するための設定が行われていることが開示されている。
【０００４】
一方、携帯端末の機種交換した場合など、設定を初期化したい場合もある。先行技術文献２には、初期化（リセット）ボタンを備えたセットトップボックスが開示されている。セットトップボックスはアクセスポイント部を備え、リセットボタンを押されることより、設定されているＳＳＩＤ（Ｓｅｒｖｉｃｅ  Ｓｅｔ  ＩＤｅｎｔｉｆｉｅｒ）等の接続情報が消去されることが開示されている。
【先行技術文献】
【特許文献】
【０００５】
【特許文献１】特開２０１４−１９８１４８号公報
【特許文献２】特開２０１４−０７８７７１号公報
【発明の概要】
【発明が解決しようとする課題】
【０００６】
無線ＬＡＮ通信機器は屋内で用いられるだけでなく、車両等に搭載して屋外で用いられることもある。そのような場合、無線ＬＡＮ通信機器のケースを防水構造とする必要がある。機器の設定を行うためのプッシュボタンスイッチも防水構造のスイッチとする必要がある。当然、初期化スイッチも防水構造のスイッチとする必要がある。
【０００７】
防水構造のスイッチはコストがかかるため、一つの防水構造のスイッチで設定処理のスイッチと初期化スイッチを兼用することも考えられる。前述の先行文献１では、ボタンを一度押すと赤外線通信を開始し、ボタンを所定時間以内に２回押すと無線自動設定を起動するという、１つのボタンに２つの機能を割り当てる技術が開示されている。しかしながら、初期化は機器に設定されている情報を消去する操作であるから、設定処理を行う操作とは同列には扱えない。ユーザーがボタンを押す際にチャタリング等の誤操作は避けられず、設定処理を行うつもりでボタンを押したつもりが初期化となってしまうことも十分に起こり得る。初期化されると今までに設定された情報が失われてしまい、無線ＬＡＮの設定を全て最初からやりなおさねばならない問題がある。
【０００８】
この発明は上記に鑑みなされたものであり、一つのスイッチで設定処理と初期化処理とを確実に操作し分けることができる無線ＬＡＮ通信機器の提供を目的としている。
【課題を解決するための手段】
【０００９】
上記課題を解決するため、本発明の無線ＬＡＮ通信機器は、無線ＬＡＮ通信部と、報知部と、スイッチと、前記スイッチが接続され、前記無線ＬＡＮ通信部及び前記表示部を制御する制御部を備え、前記制御部は、前記スイッチの操作が検出されたことと、その後前記スイッチの操作の解除がされたことを検出し、前記スイッチの操作が検出されてからの経過時間をカウントし、前記経過時間が第１の期間内にあるときに前記スイッチの操作の解除を検出したときには設定処理を行い、前記経過時間が、前記第１の期間と重複しない第２の期間内にあるときに前記スイッチの操作の解除を検出したときには初期化処理を行い、経過時間が第１の期間及び第２の期間にあることを区別できるよう、第１の期間と第２の期間とで異なる態様で報知するよう報知部を制御する。
【００１０】
本発明の無線ＬＡＮ通信機器では、スイッチを操作してから、スイッチの操作が解除されるまでの経過時間により、設定処理を行うか、初期化処理を行うかが決まることとなる。ユーザーが、この経過時間を正確に知ること難しいため、現在第１の期間か第２の期間かがユーザーに判る態様で報知部が報知している。ユーザーは、報知部の報知の態様を確認してスイッチの操作を解除すればよい。
【００１１】
また、本発明の無線ＬＡＮ通信機器では、第１の期間と第２の期間との間に第３の期間を有し、第３の期間内で前記スイッチの操作の解除が検出された場合には、前記制御部は設定処理、初期化処理のどちらも行わない。すなわち、第３の期間内でスイッチの操作を解除すれば、スイッチの操作をキャンセルすることができる。
【００１２】
さらに、本発明の無線ＬＡＮ通信機器では、第２の期間が終了した後で、スイッチの操作が解除されたときには、その後の時間経過に関わらず、設定処理も初期化処理も行われない。例えば、何らかの物体がスイッチに当たりスイッチの操作状態が長く続いた場合に、その物体を排除したときにもスイッチの操作がキャンセルされるようになっている。
【００１３】
加えて、本発明の無線ＬＡＮ通信機器では、前記スイッチの操作が検出された後、前記第１の期間が始まるまでの間に第４の期間を有し、第４の期間内で前記スイッチの操作の解除が検出されたときには、前記制御部は設定処理・初期化処理のどちらも行わない。スイッチに手などが当たって一瞬スイッチが操作されたとしも、その程度の時間では、スイッチの操作はキャンセルされるよう第４の期間は定められる。
【００１４】
さらに加えて、本発明の無線ＬＡＮ通信機器では、前記設定処理として無線自動設定の処理を適用している。報知に従い前記スイッチを操作することで、ユーザーは無線自動処理と初期化処理を容易に選択できる。
【図面の簡単な説明】
【００１５】
【図１】本発明の一実施形態に係る車両搭載用無線ＬＡＮ通信機器の構成を説明するブロック図である。
【図２】スイッチを操作してからの時間経過と報知の態様を説明する図である。
【図３】車両搭載用無線ＬＡＮ通信機器の動作を説明するフロー図である。
【図４】車両搭載用無線ＬＡＮ通信機器の動作を説明するフロー図である。
【発明を実施するための形態】
【００１６】
本発明の実施の形態を図１〜図４を参照しながら以下に説明する。この実施の形態では、屋外で主に使用される無線ＬＡＮ通信機器を例に挙げて説明する。またこの実施の形態の無線ＬＡＮ通信機器は設定処理として無線自動設定処理を採用している。
【００１７】
無線ＬＡＮ通信機器１は、無線ＬＡＮ通信部２、制御部３を備えている。無線ＬＡＮ通信部２はＰＣＩ（Ｐｅｒｉｐｈｅｒａｌ Ｃｏｍｐｏｎｅｎｔ Ｉｎｔｅｒｃｏｎｎｅｃｔ）バス１２を介して制御部３に接続される。制御部３の制御に基づき、無線ＬＡＮ通信部２は、ＩＥＥＥ（Ｔｈｅ Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１の規格に準拠したインフラストラクチャーモードのアクセスポイントとして動作する。無線ＬＡＮ通信部２には、ステーションとして例えばノート型パーソナルコンピュータＰＣが接続するが、ノート型パーソナルコンピュータＰＣに代えて、スマートフォンやダブレットと通信することも可能である。なお符号２ａは、無線ＬＡＮ通信部２用のアンテナを示している。
【００１８】
制御部３は、ＳＯＣ（Ｓｙｔｅｍ  Ｏｎ  Ｃｈｉｐ）から構成され、ＣＰＵコア３ａ、ＰＣＩインターフェース（Ｉ／Ｆ）３ｂ、ＣＡＮ（Ｃｏｎｔｒｏｌ  Ａｒｅａ  Ｎｅｔｗｏｒｋ）Ｉ／Ｆ３ｃ等の各種Ｉ／Ｆがひとつのチップの上に形成されている。ＣＡＮＩ／Ｆ３ｃは、車両内の図示しないＥＣＵ（Ｅｌｅｃｔｒｏｎｉｃ  Ｃｏｎｔｒｏｌ  Ｕｎｉｔ）等とＣＡＮバス１１により接続され、ＣＡＮバス１１上のデータを受信し外部のＰＣに送信する、また、外部のＰＣからのコマンドやデータをＣＡＮ１１バスに送信することができる。
【００１９】
制御部３には、記憶装置として、ＤＤＲＳＤＲＡＭ（Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）４、フラッシュメモリ５、ｅＭＭＣ（Ｅｍｂｅｄｅｄ  Ｍｕｌｔｉ  Ｍｅｄｉａ  Ｃａｒｄ）６が接続されている。ＤＤＲＳＤＲＡＭ４は、制御部３のワークエリアとして使用され、展開されたオペレーティングシステム（ＯＳ）、ドライバ、アプリケーションや、処理中のデータが記憶される。
【００２０】
フラッシュメモリ５には、電源オフ状態でも保持しておきたいデータが記憶される。ｅＭＭＣ６には、ＯＳ、無線ドライバ、アプリケーションのプログラムが記憶されており、起動時に、制御部３はこれらのプログラムをｅＭＭＣ６から読み出しＤＤＲＳＤＲＡＭ４に展開する。
【００２１】
制御部３には、ＬＥＤ表示部７、プッシュボタンスイッチ８が接続される（以下、「プッシュボタンスイッチ」を「ＰＢＳＷ」と略記する。ＬＥＤ表示部７は、複数の多色ＬＥＤ（Ｌｉｇｈｔ  Ｅｍｉｔｔｉｎｇ  Ｄｉｏｄｅ）７ａ，７ｂ，７ｃ，７ｄを備え、電源状態や、無線通信状態をユーザーに報知する。ＰＢＳＷ８は防水構造を備えた自動復帰型スイッチであり、無線自動設定処理の起動ボタンと無線ＬＡＮ通信機器１の初期化ボタンとを兼用している。この実施の形態では、ＬＥＤ７ａはＰＢＳＷ８が押されてからの経過時間がユーザーに視覚的にわかるよう点灯の態様を変化させる。
【００２２】
制御部３には、画像処理部９が接続されている。画像処理部９には、車両の適所に取り付けられた４台のビデオカメラ１０−１、１０−２、１０−３、１０−４が接続される。画像処理部９は、各ビデオカメラで撮影された画像を一つの画面に合成して制御部３に出力する。この合成された画像は、制御部３で圧縮された後、無線ＬＡＮ通信部２からＰＣに送信され、ＰＣの表示部で各ビデオカメラの撮影した画像を表示することができる。
【００２３】
なお、無線ＬＡＮ通信機器１は、防水構造のケース１ａ内に収められ、前記アンテナ２ａの端子，ＬＥＤ表示部７、ＰＢＳＷ８のボタン、ＣＡＮバス１１の端子、カメラ接続端子、電源端子のみが外部に露出する。なお、電源は車両の図示しないバッテリーから供給され、車両のイグニッションキーがオンの間だけ電源が供給される。言い換えると、イグニッションキーがオフの場合には、無線ＬＡＮ通信機器１は完全な停止状態となる。
【００２４】
次に、図２を参照しながら、ＰＢＳＷ８の操作とＬＥＤの点灯について図２を用いて説明する。図２において、ＰＢＳＷ８のボタン８ａが押されてからの経過時間とＬＥＤ７ａの表示の態様の変化を示している。なお、以下の説明では、ＰＢＳＷ８ボタン８ａが押された状態を「オン」と呼び、ＰＢＳＷ８ボタン８ａを押していた力が解除されボタン８ａが復帰した状態を「オフ」と呼ぶこととする。
【００２５】
図２では、ＰＢＳＷ８がオンされた時刻を０としている。ＰＢＳＷ８がオンされてから５秒経過するまでの期間Ｔａでは、ＬＥＤ７ａは消灯している。この期間Ｔａ内でＰＢＳＷ８がオフされると、無線自動設定処理も初期化処理も行われない、言わばＰＢＳＷ８の操作がキャンセルされた状態となる。なお、期間Ｔａは「第４の期間」に該当する。
【００２６】
ＰＢＳＷ８がオンされてから、経過時間が５秒から１０秒までの期間Ｔｂでは、ＬＥＤ７ａが点灯する。期間Ｔｂ内にＰＢＳＷ８がオフされると、制御部３は無線自動設定の処理を開始する。なお、期間Ｔｂは「第１の期間」に該当する。
【００２７】
ＰＢＳＷ８がオンされてから、経過時間が１０秒から１５秒までの期間Ｔｃでは、ＬＥＤ７ａが消灯する。期間Ｔｃ内にＰＢＳＷ８がオフされると、ＰＢＳＷ８の操作がキャンセルされた状態となる。なお、期間Ｔｃは「第３の期間」に該当する。
【００２８】
ＰＢＳＷ８がオンされてから、経過時間が１５秒から２０秒までの期間Ｔｄでは、ＬＥＤ７ａが点滅する。期間Ｔｄ内にＰＢＳＷ８がオフされると、制御部３は初期化処理を開始する。なお、期間Ｔｄは「第２の期間」に該当する。期間Ｔｄが終了した後は、経過時間に拘わらずＬＥＤが消灯し、ＰＢＳＷ８がオフされると操作がキャンセルされる状態となる。
【００２９】
上記動作をユーザーの目から見ると、ＬＥＤ７ａが橙色で点灯している状態でＰＢＳＷ８をオフすれば無線自動設定の処理が行われ、ＬＥＤ７ａ橙色に点滅している状態でＰＢＳＷ８をオフにすれば初期化処理が行われることとなる。また、ＬＥＤ７ａが消灯している状態でＰＢＳＷ８がオフされると、ＰＢＳＷ８の操作がキャンセルされ、無線自動設定の処理も初期化処理も行われないこととなる。
【００３０】
上記動作では、無線自動設定のための期間Ｔｂが、初期化処理のための期間Ｔｄより先に来ているが、初期化処理のための期間Ｔｄの後で無線自動設定処理のための期間Ｔｂが来るように変更しもよい。また、図２の期間Ｔｄが終了した後、期間Ｔａに戻り、期間Ｔａ、Ｔｂ、Ｔｃ、Ｔｄを反復するようにしてもよい。
【００３１】
上述の動作を図３及び図４のフロー図を参照しながら以下に説明する。通常動作状態ではＬＥＤ７ａは電源状態の表示を行っており緑色で点灯している。電源制御部３はＰＢＳＷ８がオンされているかどうか判定する（ステップＳ１）。ステップＳ１の判定がＮｏの場合には、ステップＳ１の判定に戻る。すなわち、制御部３はＰＢＳＷ８の状態を定期的に監視している。
【００３２】
ステッテプＳ１の判定がＹｅｓとなると、制御部３はタイマＴの計時を開始させ（ステップＳ２）、ＬＥＤ７ａを消灯する（ステップＳ３）。次に、制御部３はＰＢＳＷ８がオフされたかどうかを判定する（ステップＳ４）。ステップＳ４の判定がＹｅｓの場合には、制御部３はタイマＴをリセットし（ステップＳ５）、ＬＥＤ７ａを緑色で点灯状態とし（ステップＳ６）、ステップＳ１の判定に戻る。ステップＳ４の判定がＮｏの場合には、タイマＴで計時されている経過時間が５秒越えたかどうか判定する（ステップＳ７）。この判定がＮｏの場合には、制御部３はステップＳ４の判定に戻る。ＰＢＳＷ８がオフされる又は経過時間が５秒を越えるまでは、制御部３はステップＳ４、Ｓ７の判定を繰り返すこととなる。ステップＳ２からＳ７までの処理は、図２で示す期間Ｔａの処理に対応する。
【００３３】
ステップＳ７の判定がＹｅｓとなると、制御部３はステップＳ８の処理に分岐し、ＬＥＤ７ａを橙色で点灯する。そして、制御部３は、ＰＢＳＷ８がオフされたかどうか判定する（ステップＳ９）。ステップＳ９の判定がＹｅｓとなった場合には、制御部３はステップＳ１０の処理に分岐してタイマＴをリセットし、ＬＥＤ７ａを緑色と橙色で交互に点滅する（ステップＳ１１）。さらに、制御部３は、無線自動設定の処理を開始する（ステップＳ１２）。
【００３４】
ステップＳ９の判定がＮｏの場合には、制御部３はステップＳ１３の判定に分岐し、タイマＴが１０秒を越えたかどうかを判定する。この判定がＮｏの場合には、制御部３はステップＳ９の判定に戻る。ＰＢＳＷ８がオフされる又は経過時間が１０秒を越えるまでは、制御部３はステップＳ９、Ｓ１３の判定を繰り返すこととなる。ステップＳ８〜Ｓ１３の処理は、図２の期間Ｔｂの処理に対応する。
【００３５】
ステッＳ１３の判定がＹｅｓの場合には、制御部３はステップＳ１４の処理に分岐しＬＥＤ７ａを消灯する（図４）。制御部３はステップＳ１５の判定に進み、ＰＢＳＷ８がオフされたかどうか判定する。ステップＳ１５の判定がＹｅｓの場合には、制御部３はステップＳ１６の処理に進みタイマＴを初期化する。さらに、制御部はＬＥＤ７ａを緑色で点灯し（ステップ６）、ステップＳ１の判定に戻る。
【００３６】
ステップＳ１５の判定がＮｏの場合には、制御部３はステップＳ１７の判定に進み、タイマＴが１５秒を越えたかどうかを判定する。ステップＳ１７の判定がＮｏの場合には、制御部３はステップＳ１５の判定に戻る。ＰＢＳＷ８がオフされる又は経過時間が１０秒を越えるまでは、制御部３はステップＳ１５、Ｓ１７の判定を繰り返すこととなる。ステップＳ１４〜Ｓ１７の処理は、図２の期間Ｔｃの処理に対応する。
【００３７】
ステップＳ１７の判定がＹｅｓとなると、制御部３はステップＳ１８の処理に進み、ＬＤＥ７ａを橙色で点滅させる。次のステップＳ１９では、制御部はＰＢＳＷ８がオフされたかどうかを判定する。ステップＳ１９の判定がＹｅｓの場合には、制御部３はステップＳ２０の処理に進み、ＬＥＤ７ａを緑色／橙色で交互に点滅させる。さらに制御部３はステップＳ２１の初期化処理を行い、各種設定値を初期化する。
【００３８】
ステップＳ１９の判定がＮｏの場合には、制御部３はステップＳ２２の判定に進み、タイマＴが２０秒を越えたかどうか判定する。ステップＳ２２の判定がＮｏの場合には、制御部３はステップＳ１９の判定に戻る。ＰＢＳＷ８がオフされる又は経過時間が２０秒を越えるまでは、制御部３はステップＳ１９、Ｓ２２の判定を繰り返すこととなる。ステップＳ１８〜Ｓ２２の処理は、図２の期間Ｔｄの処理に対応する。
【００３９】
ステップＳ２２の判定がＹｅｓの場合には、制御部３はステップＳ２３の処理に分岐し、タイマＴをリセットする。そして制御部３はＬＥＤ７ａを消灯する（ステップＳ２４）。さらに制御部３は、ＰＢＳＷ８がオフされたかどうか判定する（ステップＳ２５）。ステップＳ２２の判定がＹｅｓであれば、制御部３はステップＳ６の処理を経てステップ１の判定に戻る。ステップＳ２５の判定がＮｏの場合には、制御部３はステップＳ２５の判定に戻る。すなわち、ＰＢＳＷ８がオフにされるまで、ステップＳ２５の判定が反復されることとなる。
【００４０】
以上の説明では、ＰＢＳＷ８がオンされてからの経過時間を一つのＬＥＤ７ａのみを用いてユーザーに報知しているが、他のＬＥＤ７ｂ、７ｃ、７ｄから１〜３個のＬＥＤを、ＬＥＤ７ａとともに用いて、経過時間がいずれの期間にかかっているかをユーザーに報知するようにしてもよい。また、ＬＥＤの点滅周期、点灯色を変えることにより、経過時間をユーザーに報知するようにしてもよい。さらに、ＬＥＤに代えて、ＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ等を搭載する場合には、これらのディスプレイに経過時間がいずれの期間にかかっているかをキャラクタで表示する、或いはグラフィカルに表示することが可能である。
【００４１】
また、以上の説明では視覚的に報知する例を示しているが、音声によってもユーザーに報知することが可能である。図１中、二点鎖線で示すようにブザー１３を追加し、制御部３がブザー１３を鳴動させることにより、ユーザーに経過時間を聴覚的に報知するようにしても良い。図２中のＢＺは、期間Ｔｂでブザーを連続的に鳴らし、期間Ｔｄでブザー１３を断続的に鳴らす例を示している。なお、視覚的な報知と聴覚的な報知を併用しても良い。
【００４２】
以上の説明では、防水構造の無線ＬＡＮ通信機器について説明したが、防水を必要としない屋内用の無線ＬＡＮ通信機器にも本発明を適用することが可能である。
【００４３】
また、以上の説明では、設定処理として無線自動設定処理を採用した例を挙げたが、通信、表示等各種設定処理に本発明は適用することができる。
【産業上の利用可能性】
【００４４】
この発明は、設定処理と初期化処理の機能を備え、一つのスイッチで両者を操作仕分ける無線ＬＡＮ通信機器に広く適用可能である。
【符号の説明】
【００４５】
１：無線ＬＡＮ通信機器
２：無線ＬＡＮ通信部
２ａ：アンテナ
３：制御部
３ａ：ＣＰＵコア
３ｂ：ＰＣＩ  Ｉ／Ｆ
３ｃ：ＣＡＮ  Ｉ／Ｆ
４：ＤＤＲＳＤＲＡＭ
５：フラッシュメモリ
６：ｅＭＭＣ
７：ＬＥＤ表示部
７ａ、７ｂ、７ｃ、７ｄ：ＬＥＤ
８：プッシュボタンスイッチ
８ａ：ボタン
９：画像処理部
１０−１、１０−２、１０−３、１０−４：ビデオカメラ
１１：ＣＡＮバス
１２：ＰＣＩバス
１３：ブザー
Ｔａ：期間（第４の期間）
Ｔｂ：期間（第１の期間）
Ｔｃ：期間（第３の期間）
Ｔｄ：期間（第２の期間）
【図１】
2017175591.tif 000003
【図２】
2017175591.tif 000004
【図３】
2017175591.tif 000005
【図４】
2017175591.tif 000006